(57)【要約】【課題】着用者の胴体だけでなく頭部や首も冷却しつつ、スリムなシルエットも得られる送風機付きの衣料を提供する。【解決手段】表地６と、該表地６よりも着用者の肌側に配置されている裏地７と、表地６の縁部６ａと裏地７を互いに止着している第１止着部２１と、第１止着部２１から離間している位置において表地６と裏地７とを互いに止着している第２止着部２２と、表地６に取り付けられており、外部の空気を表地６と裏地７の間にある第１空間に取り込む送風機１０と、裏地７に形成されており、第１空間の空気を着用者側に排出する第１排気口１１と、立襟部３と、立襟部３に形成されており、立襟部３の内部に形成されている第２空間の空気を排出する第２排気口１２と、を有しており、第１空間と第２空間とは互いに連通している衣料１。【選択図】図４
2020139240.tif 000002
【特許請求の範囲】
【請求項１】
表地と、
該表地よりも着用者の肌側に配置されている裏地と、
前記表地の縁部と前記裏地を互いに止着している第１止着部と、
前記第１止着部から離間している位置において前記表地と前記裏地とを互いに止着している第２止着部と、
前記表地に取り付けられており、外部の空気を前記表地と前記裏地の間にある第１空間に取り込む送風機と、
前記裏地に形成されており、前記第１空間の空気を着用者側に排出する第１排気口と、
立襟部と、
該立襟部に形成されており、前記立襟部の内部に形成されている第２空間の空気を排出する第２排気口と、を有しており、
前記第１空間と前記第２空間とは互いに連通していることを特徴とする衣料。
【請求項２】
前記第２排気口は、前記立襟部における身長方向の上端部に設けられている請求項１に記載の衣料。
【請求項３】
前記第２排気口は、空気を着用者の頭部方向に排出するものである請求項１または２に記載の衣料。
【請求項４】
前記第２排気口は、空気を着用者の耳部方向に排出するものである請求項１または２に記載の衣料。
【請求項５】
前記立襟部は、前記第１空間から前記第２空間に流れる空気の量を増減させる調節部を有している請求項１〜４のいずれか一項に記載の衣料。
【請求項６】
前記第２止着部が複数存在しており、該複数の第２止着部は身幅方向の一方側と他方側のそれぞれにおいて身長方向に離間して配置されている請求項１〜５のいずれか一項に記載の衣料。
【請求項７】
前記立襟部を着用者の前後方向において前側立襟部と後側立襟部に二等分割したときに、前記後側立襟部の身長方向の上端は、前記前側立襟部の身長方向の上端よりも上方に位置している請求項１〜６のいずれか一項に記載の衣料。
【請求項８】
前記第２排気口は、前記立襟部における身長方向の上端よりも下方であって前記立襟部の肌側面に形成されている請求項１〜７のいずれか一項に記載の衣料。
【発明の詳細な説明】
【技術分野】
【０００１】
本発明は、表地と裏地の間に空気を通すことで身体の熱を外に逃がすことができる送風機付きの衣料に関するものである。
【背景技術】
【０００２】
熱中症等の対策として、現場作業時、運動時、スポーツ観戦時等に着用する送風機付きの衣服が開発されている。例えば、特許文献１には表布と裏布との間の通気ダクトに該当する箇所に介在して通気ダクトの通気可能状態を維持するスペーサー手段が設けられている衣服が開示されている。
【先行技術文献】
【特許文献】
【０００３】
【特許文献１】特開２０１５−２１２４４７号公報
【発明の概要】
【発明が解決しようとする課題】
【０００４】
しかし、従来の送風機付きの衣料は、身体を曲げたり捻ったりする等、着用者の動きや姿勢によっては空気の流れが悪化して部分的に冷却できないおそれがあったり、衣料全体が膨らむことで太って見えることがあった。また、着用者の頭部や首を冷却しにくいという問題もあった。
そこで、本発明は、着用者の胴体だけでなく頭部や首も冷却しつつ、スリムなシルエットも得られる送風機付きの衣料を提供することを目的とする。
【課題を解決するための手段】
【０００５】
前記課題を解決することができた本発明の衣料の一実施態様は、表地と、該表地よりも着用者の肌側に配置されている裏地と、表地の縁部と裏地を互いに止着している第１止着部と、第１止着部から離間している位置において表地と裏地とを互いに止着している第２止着部と、表地に取り付けられており、外部の空気を表地と裏地の間にある第１空間に取り込む送風機と、裏地に形成されており、第１空間の空気を着用者側に排出する第１排気口と、立襟部と、該立襟部に形成されており、立襟部の内部に形成されている第２空間の空気を排出する第２排気口と、を有しており、第１空間と第２空間とは互いに連通していることを特徴とする。本発明によれば、第２止着部が設けられていることにより第１空間の空気の流れを適度に分岐させることができるとともに、スリムなシルエットを得ることもできる。また、送風機から第１空間に取り込まれた空気が第１排気口から排出されることで着用者の少なくとも胴体を冷却することができる。さらに、第１空間と第２空間が互いに連通していることにより第１空間から第２空間に空気が移動し、この空気が立襟部に形成されている第２排気口から排出されることで着用者の頭部や首を冷却することができる。
【０００６】
第２排気口は、立襟部における身長方向の上端部に設けられていることが好ましい。これにより、第２排気口からの空気が身長方向の上方に排出されやすくなるため、着用者の頭部や首を冷却しやすくなる。
【０００７】
第２排気口は、空気を着用者の頭部方向に排出するものであることが好ましい。これにより、着用者の頭部や首を冷却しやすくなる。
【０００８】
第２排気口は、空気を着用者の耳部方向に排出するものであることが好ましい。耳部には多数の毛細血管が通っているため、耳部を冷却することにより、着用者は涼しさを感じやすくなる。
【０００９】
立襟部は、第１空間から第２空間に流れる空気の量を増減させる調節部を有していることが好ましい。これにより、着用者の好みに合わせて第２排気口から排出される空気の量を調節することができる。
【００１０】
第２止着部が複数存在しており、該複数の第２止着部は身幅方向の一方側と他方側のそれぞれにおいて身長方向に離間して配置されていることが好ましい。このように第２止着部を設けていることにより衣料の膨らみを抑制することができるため、スリムなシルエットが得られやすくなる。
【００１１】
立襟部を着用者の前後方向において前側立襟部と後側立襟部に二等分割したときに、後側立襟部の身長方向の上端が前側立襟部の身長方向の上端よりも上方に位置していることが好ましい。このように後側立襟部を前側立襟部よりも高く形成することにより、第２排気口からの空気を後頭部に向かって排出しやすくなる。また、着用者が帽子を被っている場合には、着用者の頭と帽子の隙間に空気を送り込みやすくなる。
【００１２】
第２排気口は、立襟部における身長方向の上端よりも下方であって立襟部の肌側面に形成されていてもよい。このように第２排気口を形成することにより、立襟部を膨らませたときに第２排気口が身長方向の上端に位置しやすくなる。このため、第２排気口からの空気が身長方向の上方に排出されやすくなり、着用者の頭部や首を冷却しやすくなる。
【発明の効果】
【００１３】
本発明の衣料によれば、第２止着部が設けられていることにより第１空間の空気の流れを適度に分岐させることができるとともに、スリムなシルエットを得ることもできる。また、送風機から第１空間に取り込まれた空気が第１排気口から排出されることで着用者の少なくとも胴体を冷却することができる。さらに、第１空間と第２空間が互いに連通していることにより第１空間から第２空間に空気が移動し、この空気が立襟部に形成されている第２排気口から排出されることで着用者の頭部や首を冷却することができる。
【図面の簡単な説明】
【００１４】
【図１】本発明の実施の形態に係る衣料の正面図を表し、留め具を係合した状態を示している。
【図２】図１の衣料の背面図を表す。
【図３】図１の衣料の留め具の係合を解除し、衣料を表側から見た図を表す。
【図４】図１の衣料の留め具の係合を解除し、衣料を裏側から見た図を表す。
【図５】図１のＶ−Ｖ断面図を表し、第１空間と第２空間の連通状態を示している。
【発明を実施するための形態】
【００１５】
以下、本発明に係る衣料に関して、図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００１６】
本発明において衣料とは身に着けるものであり、コート・ジャケット・ジャンパー等の上衣、ワンピース・つなぎ等の上衣と下衣が一体化したつなぎ服を含む。また、本発明の衣料は、防暑用、スポーツ用、アウトドア用として好適に用いられる。衣料は、ジップファスナー、面ファスナー、スナップボタン等の留め具によって左前身頃と右前身頃の係合解除が行われることが好ましい。
【００１７】
本発明において衣料の裏側とは、衣料を着用した際の着用者の肌に向く側を意味し、衣料の表側とは、衣料を着用した際の着用者とは反対側を意味する。また、本発明において身幅方向とは着用者の左右方向を意味し、身長方向とは着用者の身長方向であって上下方向を意味する。
【００１８】
図１〜図５を用いて衣料の構成について説明する。図１は、本発明の実施の形態に係る衣料１の正面図を表し、留め具４を係合した状態を示している。図２は図１の衣料１の背面図を表す。図３、図４は、それぞれ図１の衣料１の留め具４の係合を解除して衣料１の表側または裏側から見た図を表す。図５は、図１のＶ−Ｖ断面図を表し、第１空間１５と第２空間１６の連通状態を示す模式図を表す。図１〜図４において、衣料１は上衣２であり、着用者が腕を通すための開口部５を有している。図１〜図４では、衣料１が袖を有していないベストである例を用いて説明するが、衣料１の態様はこれに限定されるものではなく、袖付きのものであってもよい。袖部は、裏地７がなく、表地６一枚で構成されていてもよい。
【００１９】
本発明の衣料１の一実施態様は、表地６と、該表地６よりも着用者の肌側に配置されている裏地７と、表地６の縁部と裏地７を互いに止着している第１止着部２１と、第１止着部２１から離間している位置において表地６と裏地７とを互いに止着している第２止着部２２と、表地６に取り付けられており、外部の空気を表地６と裏地７の間にある第１空間１５に取り込む送風機１０と、裏地７に形成されており、第１空間１５の空気を着用者側に排出する第１排気口１１と、立襟部３と、該立襟部３に形成されており、立襟部３の内部に形成されている第２空間１６の空気を排出する第２排気口１２と、を有しており、第１空間１５と第２空間１６とは互いに連通している。第２止着部２２が設けられていることにより第１空間１５の空気の流れを適度に分岐させることができるとともに、スリムなシルエットを得ることもできる。また、送風機１０から第１空間１５に取り込まれた空気が第１排気口１１から排出されることで着用者の少なくとも胴体を冷却することができる。さらに、第１空間１５と第２空間１６が互いに連通していることにより第１空間１５から第２空間１６に空気が移動し、この空気が立襟部３に形成されている第２排気口１２から排出されることで着用者の頭部や首を冷却することができる。
【００２０】
表地６と裏地７は、それぞれ１枚の生地から構成されていてもよく、複数の生地を積層することにより構成されていてもよい。第１排気口１１とは別に裏地７から着用者側に空気を排出することで冷却効果を一層高めるために、裏地７は表地６よりも高い通気性を有していてもよい。
【００２１】
表地６や裏地７を構成する生地の材料は、衣料に一般に使用されるものであれば特に限定されず、例えば、布地（織布、編布、不織布等）、樹脂が積層されている布地、樹脂フィルム、これらを組み合わせた材料等を用いることができる。布地を構成する繊維としては、例えば、綿・絹等の天然繊維、ポリエステル・ポリエチレン・ナイロン等の合成繊維が挙げられる。生地同士は、縫合、接着剤による接着、熱融着、超音波融着等により接合することができる。
【００２２】
表地６は裏地７に比べて通気度（フラジール通気度：ＪＩＳ  Ｌ  １０９６）の低い生地で構成されていてもよい。これにより、表地６から外部に空気が抜けることに起因する空気の取り込み効率が落ちることがなく、また裏地７から全体的に身体に空気を与えることができる。表地６の通気度は低いほど好ましく、例えばフラジール通気度をゼロ（測定限界以下）とすることができる。
【００２３】
第１止着部２１は、表地６の縁部と裏地７を互いに止着している部分である。第１止着部２１により表地６と裏地７の間に空気を通す流路である第１空間１５のベースとなる部分を形成することができる。このように第１止着部２１を形成することにより、衣料１にポケットが設けられていてもよい。表地６の縁部６ａは、表地６の縁から５ｃｍ以内の範囲であり、好ましくは３ｃｍ以内、さらに好ましくは１ｃｍ以内の範囲である。
【００２４】
第１止着部２１において、表地６の縁部６ａと裏地７の縁部が互いに止着されていてもよい。第１止着部２１において、表地６の周縁部と裏地７の周縁部が互いに止着されていてもよい。第１止着部２１の数は特に限定されず、複数設けられていてもよい。
【００２５】
第２止着部２２は、第１止着部２１から離間している位置において表地６と裏地７とを互いに止着している部分である。第２止着部２２が設けられていることにより第１空間１５の空気の流れを適度に分岐させることができるとともに、スリムなシルエットを得ることもできる。
【００２６】
第２止着部２２は複数設けられていてもよい。これにより衣料１の膨らみをより一層抑制することができるため、スリムなシルエットが得られやすくなる。
【００２７】
第２止着部２２が複数存在しており、該複数の第２止着部２２は身幅方向ｘの一方側ｘ１と他方側ｘ２のそれぞれにおいて身長方向ｙに離間して配置されていることが好ましい。このように第２止着部２２を設けていることにより衣料１の膨らみを抑制することができるため、スリムなシルエットが得られやすくなる。
【００２８】
第２止着部２２は、衣料１の身長方向ｙの全体にわたって設けられていてもよく、身長方向ｙの一部に設けられていてもよい。
【００２９】
第２止着部２２は、身長方向ｙに延在するように配置されていることが好ましい。これにより、空気を身長方向ｙに沿って流れやすくすることができるため、空気の流速が高められ、衣料１を素早く冷却することができる。
【００３０】
第２止着部２２は、身幅方向ｘに対して傾斜していてもよい。例えば、第２止着部２２は、身幅方向ｘに対して４５度以上傾斜していることが好ましく、６０度以上傾斜していることがより好ましく、７０度以上傾斜していることがさらに好ましく、また１３５度以下傾斜していることが好ましく、１２０度以下傾斜していることがより好ましく、１１０度以下傾斜していることがさらに好ましい。これにより、衣料１全体としては空気がおおよそ身長方向ｙに流れるようになる。
【００３１】
以下では、身幅方向ｘに対して４５度以上１３５度以下傾斜した方向または身長方向ｙに延在している第２止着部２２を第２−１止着部２２Ａと称する。
【００３２】
複数の第２−１止着部２２Ａは、身幅方向ｘの一方側ｘ１と他方側ｘ２のそれぞれにおいて身長方向ｙに離間して配置されていることが好ましい。このように第２−１止着部２２Ａが設けられていることにより表地６と裏地７の間の空気の流れをより多数に分岐させることができる。
【００３３】
空気流通性の向上の観点から、第１止着部２１と第２−１止着部２２Ａの離間距離は、１ｃｍ以上であることが好ましく、３ｃｍ以上であることがより好ましく、５ｃｍ以上であることがさらに好ましい。また、衣料１の膨らみ抑制の観点から、第１止着部２１と第２−１止着部２２Ａの離間距離は、３０ｃｍ以下であることが好ましく、２５ｃｍ以下であることがより好ましく、２０ｃｍ以下であることがさらに好ましい。
【００３４】
第２−１止着部２２Ａは、第１止着部２１よりも身幅方向ｘの内方に配置されていることが好ましい。これにより、特に膨らみやすい位置での膨張抑制効果を高めることができる。
【００３５】
第２−１止着部２２Ａの数は特に限定されないが、第２−１止着部２２Ａは、身幅方向ｘの一方側ｘ１と他方側ｘ２のそれぞれにおいて、少なくとも３つずつ配置されていることが好ましく、少なくとも４つずつ配置されていることがより好ましい。また、第２−１止着部２２Ａの身幅方向ｘの一方側ｘ１と他方側ｘ２のそれぞれにおいて、１５以下配置されていることが好ましく、１２以下配置されていることがより好ましい。これにより、表地６と裏地７の間の空気の流れをより多数に分岐させることができるようになる。
【００３６】
複数の第２−１止着部２２Ａは、身幅方向ｘの一方側ｘ１と他方側ｘ２のそれぞれにおいて、身幅方向ｘにも離間して配置されていることが好ましい。これにより、空気の流れをより多数に分岐させることができる。
【００３７】
第２−１止着部２２Ａが、身幅方向ｘの一方側ｘ１と他方側ｘ２のそれぞれにおいて少なくとも３つずつ配置されており、身幅方向ｘの一方側ｘ１と他方側ｘ２のそれぞれにおいて、隣り合う第２−１止着部２２Ａ間の身長方向ｙの距離は、空気の流れ方向の下流側ほど小さいことが好ましい。これにより下流側での空気の流れ方向を制御しやすくなり、衣料１全体を好適に冷却することができる。ここで、隣り合う第２−１止着部２２Ａ間の身長方向ｙの距離は、身長方向ｙにおいて、上側に位置する第２−１止着部２２Ａの下方端と、下側に位置する第２−１止着部２２Ａの上方端との最短距離を意味する。
【００３８】
一の第２−１止着部２２Ａが身幅方向ｘに隣り合う他の第２−１止着部２２Ａとの距離は、一の第２−１止着部２２Ａが身長方向ｙに隣り合うさらに他の第２−１止着部２２Ａとの距離よりも大きいことが好ましい。これにより、空気を身幅方向ｘよりも身長方向ｙに優先的に流れやすくすることができる。ここで、一の第２−１止着部２２Ａが身幅方向ｘに隣り合う他の第２−１止着部２２Ａとの距離（すなわち、身幅方向ｘにおいて隣り合う第２−１止着部２２Ａ間の距離）は、身幅方向ｘにおいて、左側に位置する第２−１止着部２２Ａの右方端と、右側に位置する第２−１止着部２２Ａの左方端との最短距離を意味する。
【００３９】
隣り合う第２−１止着部２２Ａ間の身幅方向ｘの距離は、身長方向ｙにおいて一定であってもよい。これにより空気の流れ方向を制御しやすくなり、衣料１の大量生産にも適している。
【００４０】
隣り合う第２−１止着部２２Ａ間の身幅方向ｘの距離は、空気の流れ方向の下流側ほど小さくなっていてもよい。これにより下流側での空気の流れ方向を制御しやすくなり、衣料１全体を好適に冷却することができる。
【００４１】
第２−１止着部２２Ａは、身長方向ｙの上方から下方に向かって身幅方向ｘの内方から外方に延在するように配置されていてもよい。このように第２−１止着部２２Ａを延在させることによって空気の流れ方向を制御することができるとともに、衣料１のシルエットの微調整が可能になる。
【００４２】
第２−１止着部２２Ａは、身長方向ｙの上方から下方に向かって身幅方向ｘの外方から内方に延在するように配置されていることが好ましい。このように第２−１止着部２２Ａを延在させることによっても空気の流れ方向を制御することができるとともに、衣料１のシルエットの微調整が可能になる。
【００４３】
複数の第２−１止着部２２Ａの延在方向は同じであることが好ましい。これにより空気の流れ方向を制御しやすくなり、衣料１の大量生産にも適している。
【００４４】
複数の第２−１止着部２２Ａの延在方向が異なっていてもよい。様々な向きに第２−１止着部２２Ａを配置することによって、衣料１全体に空気が行き渡りやすくなり、衣料１全体を冷却する効果が高められる。例えば、身幅方向ｘの一方側ｘ１において身長方向ｙに離間している一の第２−１止着部２２Ａと他の第２−１止着部２２Ａが設けられている場合、一の第２−１止着部２２Ａが身長方向ｙの上方から下方に向かって身幅方向ｘの外方から内方に延在するように配置されており、他の第２−１止着部２２Ａが身長方向ｙの上方から下方に向かって身幅方向ｘの内方から外方に延在するように配置されていてもよい。
【００４５】
身幅方向ｘの一方側ｘ１と他方側ｘ２の少なくともいずれか一方において、身幅方向ｘに隣り合う第２−１止着部２２Ａの延在方向は、同じであることが好ましい。このように第２−１止着部２２Ａの延在方向を設定することにより、身長方向ｙにおける空気の流れを身幅方向ｘ全体で均一にしやすくなる。
【００４６】
身幅方向ｘの一方側ｘ１と他方側ｘ２の少なくともいずれか一方において、身長方向ｙに隣り合う第２−１止着部２２Ａの延在方向が異なっていることが好ましい。このように第２−１止着部２２Ａの延在方向を設定することにより、空気の流れ方向を複雑にすることができるため、衣料１全体に空気が行き渡りやすくなり、衣料１全体を冷却する効果が高められる。
【００４７】
第２−１止着部２２Ａの延在方向は、左右対称であることが好ましい。これにより、左右均等に冷却効果が得られるとともに、衣料１のいびつな膨張を抑制することができる。
【００４８】
第２−１止着部２２Ａの形状は特に限定されないが、第２−１止着部２２Ａは、帯状または線状に形成されていることが好ましい。第２−１止着部２２Ａをこのような形状とすることにより、空気の流れ方向の制御や衣料１のシルエットの調整が行いやすくなる。なお、第２−１止着部２２Ａは、連続的または断続的な帯状または線状に形成されていてもよい。
【００４９】
複数の第２−１止着部２２Ａの長さは、同じでもよく、異なっていてもよい。第２−１止着部２２Ａの長さは特に限定されないが、例えば、１ｃｍ以上であることが好ましく、３ｃｍ以上であることがより好ましく、５ｃｍ以上であることがさらに好ましく、また、１５ｃｍ以下であることが好ましく、１２ｃｍ以下であることがより好ましく、１０ｃｍ以下であることがさらに好ましい。第２−１止着部２２Ａの長さをこのような範囲に設定することによって、適度に空気の流れを確保しながら、衣料１の膨らみを抑制することができる。
【００５０】
下流側での空気の流れ方向を制御しやすくするためには、第２−１止着部２２Ａの長さは、空気の流れ方向の下流側ほど長いことが好ましい。
【００５１】
身幅方向ｘの一方側ｘ１と他方側ｘ２の少なくともいずれか一方において、身幅方向ｘに隣り合う第２−１止着部２２Ａの長さは、同じであることが好ましい。このように第２−１止着部２２Ａの長さを設定することにより、身長方向ｙにおける空気の流れを身幅方向ｘ全体で均一にしやすくなる。
【００５２】
第２−１止着部２２Ａが、身幅方向ｘの一方側ｘ１と他方側ｘ２のそれぞれにおいて少なくとも２つずつ配置されており、身幅方向ｘの一方側ｘ１と他方側ｘ２のそれぞれにおいて、第２−１止着部２２Ａの長さは、空気の流れ方向の下流側ほど長いことが好ましい。これにより下流側での空気の流れ方向を制御しやすくなり、衣料１全体を好適に冷却することができる。
【００５３】
第１止着部２１と第２−１止着部２２Ａがそれぞれ帯状または線状に形成されている場合、すべての第２−１止着部２２Ａの合計長さが、すべての第１止着部２１の合計長さよりも短いことが好ましい。これにより、空気の流れを低下させない程度に適度に分岐させることができるため、空気が衣料１全体に行き渡りやすくなり、衣料１全体を冷却することができる。
【００５４】
複数の第２−１止着部２２Ａの幅は、同じでもよく、異なっていてもよい。第２−１止着部２２Ａの幅は、例えば０．５ｍｍ以上、１ｍｍ以上、３ｍｍ以上、または２０ｍｍ以下、１５ｍｍ以下、１０ｍｍ以下とすることができる。第２−１止着部２２Ａの幅をこのような範囲に設定することによって、適度に空気の流れを確保しながら、衣料１の膨らみを抑制することができる。
【００５５】
第２−１止着部２２Ａは、左右対称な形状に形成されていることが好ましい。これにより、衣料１の左右均等に冷却効果が得られるとともに、衣料１のいびつな膨張を抑制することができる。
【００５６】
送風機１０は、外部の空気を表地６と裏地７の間にある第１空間１５に取り込む。送風機１０は、衣料１を着用したときに邪魔にならない位置に配置されていればよい。例えば衣料１が上衣２の場合、送風機１０は前身頃と後身頃の少なくともいずれか一方に形成されていることが好ましく、後身頃に形成されていることがより好ましい。具体的には、送風機１０は、身長方向ｙにおいて肩甲骨よりも下方に配置されていることが好ましく、着用者の腰に対応する位置に配置されていることがより好ましく、また、袖には形成されていないことが好ましい。
【００５７】
衣料１は、前身頃と後身頃を有する上衣２であり、送風機１０は後身頃に取り付けられており、複数の第２−１止着部２２Ａは、前身頃の身幅方向ｘの一方側ｘ１と他方側ｘ２と、後身頃の身幅方向ｘの一方側ｘ１と他方側ｘ２にそれぞれ配置されていることが好ましい。これにより送風機１０を衣料１を着用したときに邪魔にならない位置に配置しつつ、第２−１止着部２２Ａによって前身頃と後身頃の両方で空気の流れ方向が制御されるため、衣料１全体を効率よく冷却することができる。
【００５８】
送風機１０の数は特に限定されないが、送風機１０は、身幅方向ｘの一方側ｘ１と他方側ｘ２にそれぞれ取り付けられていることが好ましく、後身頃の左側と右側にそれぞれ取り付けられていることがより好ましい。送風機１０は、身幅方向ｘに離間して配置されていてもよい。なお、本発明において身幅方向ｘの一方側ｘ１と他方側ｘ２は、それぞれ衣料１に設けられている留め具４を係合した状態での身幅方向ｘの中央線Ｃの右側と左側を意味する。
【００５９】
送風機１０は、身幅方向ｘの一方側ｘ１と他方側ｘ２にそれぞれ取り付けられており、身幅方向ｘにおいて、第２−１止着部２２Ａは、２つの送風機１０の内方端よりも内方に配置されていることが好ましい。これにより、送風機１０からの空気をスムーズに第２−１止着部２２Ａに誘導しながら、身幅方向ｘの内方側の膨らみを抑制することができるため、スリムなシルエットを得ることができる。同様の理由から、身幅方向ｘの一方側ｘ１と他方側ｘ２のそれぞれにおいて、さらに身幅方向ｘを内方側と外方側に二等分割したときの内方側に第２−１止着部２２Ａが配置されており、外方側に送風機１０が配置されていてもよい。
【００６０】
身長方向ｙにおいて、送風機１０の中心部は、最も下方側に配置されている第２−１止着部２２Ａの上方端よりも上方に配置されていることが好ましく実施し得る。これにより、送風機１０からの空気は、最も下方側に並んで配置されている２つの第２−１止着部２２Ａ間を上方から下方に向かっても通りやすくなるため、空気が上下様々な方向に流れやすくなって衣料１全体に行き渡りやすくなる。
【００６１】
身長方向ｙにおいて、送風機１０の中心部は、最も下方側に配置されている第２−１止着部２２Ａの下方端よりも下方に配置されていてもよい。これにより、送風機１０からの空気は、身幅方向ｘに並んで配置されている２つの第２−１止着部２２Ａ間を下方から上方に向かって通り、身長方向ｙに沿って流れやすくなる。
【００６２】
送風機１０よりも身長方向ｙの上方に配置されている第２−１止着部２２Ａが、身長方向ｙの上方から下方に向かって身幅方向ｘの内方から外方に延在するように配置されていることが好ましい。これにより、空気の流れ方向の下流側では身幅方向ｘの内方に向かって空気が流れやすくなる。身体の身幅方向ｘの内方を集中的に冷やすことで、着用者の体温を効率的に下げることができる。
【００６３】
送風機１０よりも身長方向ｙの上方に配置されている第２−１止着部２２Ａが、身長方向ｙの上方から下方に向かって身幅方向ｘの外方から内方に延在するように配置されていてもよい。これにより、空気の流れ方向の下流側では身幅方向ｘの外方に向かって空気が流れやすくなり、衣料１全体に空気が行き渡りやすくなるため、衣料１全体を冷却する効果が高められる。
【００６４】
第２止着部２２は、身幅方向ｘに延在するように配置されていてもよい。これにより、身長方向ｙにおける空気の流れがせき止められるため、空気が流れる方向を制御することができる。
【００６５】
身長方向ｙにおける空気の流れをせき止めるために設けられる第２止着部２２は、身幅方向ｘに対して３度以上、５度以上、あるいは１０度以上傾斜していてもよく、また、３０度以下、２５度以下、あるいは２０度以下傾斜していてもよい。
【００６６】
以下では、身幅方向ｘに対して３度以上２０度以下傾斜した方向または身幅方向ｘに延在している第２止着部２２を第２−２止着部２２Ｂと称する。空気をせき止める効果を高めるため、第２−２止着部２２Ｂは、複数設けられていることが好ましい。なお、第２−２止着部２２Ｂの延在方向は、第２−１止着部２２Ａの延在方向と異なっていることが好ましい。
【００６７】
送風機１０は、第２−２止着部２２Ｂよりも身長方向ｙの上方に取り付けられていることが好ましい。このように第２−２止着部２２Ｂが配置されていることにより表地６と裏地７の間の空気の流れをさらに多数に分岐することができる。また、複数の第２−２止着部２２Ｂによって空気の流れがせき止められ、送風機１０からの空気を、第２−２止着部２２Ｂよりも身長方向ｙの上側に優先的に流すことができるため、裾部が膨らみにくくなり腰回りをすっきりとしたデザインにすることができる。
【００６８】
複数の第２−２止着部２２Ｂは、身幅方向ｘの一方側ｘ１と他方側ｘ２のそれぞれにおいて、身幅方向ｘに離間して配置されていることが好ましい。このように第２−２止着部２２Ｂが配置されていることにより表地６と裏地７の間の空気の流れをさらに多数に分岐することができる。
【００６９】
身長方向ｙにおいて、複数の第２−２止着部２２Ｂは、複数の第２−１止着部２２Ａよりも下方に配置されていることが好ましい。複数の第２−２止着部２２Ｂによって空気の流れがせき止められ、送風機１０からの空気を、空気の流れを適度に分岐させることができる第２−１止着部２２Ａに優先的に流すことができるため、衣料１全体の冷却効果を一層高めることができる。同様の理由から、身長方向ｙにおいて、第２−２止着部２２Ｂは、送風機１０よりも下方に配置されていることが好ましい。
【００７０】
第２−２止着部２２Ｂは、身幅方向ｘの中心線Ｃと交差するように配置されていてもよい。これにより、表地６と裏地７の間の空気の流れをより多数に分岐させることができるようになる。
【００７１】
第２−２止着部２２Ｂの形状は特に限定されないが、第２−１止着部２２Ａと同様に帯状または線状に形成することができる。複数の第２−２止着部２２Ｂの長さや幅は、同じでもよく、異なっていてもよい。第２−２止着部２２Ｂの長さや幅は、第２−１止着部２２Ａと同様に設定することができる。
【００７２】
第２−２止着部２２Ｂの数は特に限定されないが、第２−２止着部２２Ｂは、４つ以上配置されていることが好ましく、５つ以上配置されていることがより好ましく、また、８つ以下配置されていることが好ましく、７つ以下配置されていることがより好ましい。また、第２−２止着部２２Ｂは、身幅方向ｘの一方側ｘ１と他方側ｘ２のそれぞれにおいて、２つ以上配置されていればよく、４つ以下配置されていてもよい。
【００７３】
身幅方向ｘにおいて、隣り合う第２−２止着部２２Ｂ間の距離は、一定であることが好ましい。これにより空気の流れ方向を制御しやすくなり、衣料１の大量生産にも適している。ここで、隣り合う第２−２止着部２２Ｂ間の距離は、身幅方向ｘにおいて左側に位置する第２−２止着部２２Ｂの右方端と、右側に位置する第２−２止着部２２Ｂの左方端との最短距離を意味する。
【００７４】
身幅方向ｘにおいて、隣り合う第２−２止着部２２Ｂ間の距離は、第２−２止着部２２Ｂの長さよりも短いことが好ましい。これにより、複数の第２−２止着部２２Ｂによって空気の流れがせき止められやすくなるため、送風機１０からの空気を第２−１止着部２２Ａに優先的に流すことができる。同様の理由から、身幅方向ｘにおいて、隣り合う第２−２止着部２２Ｂ間の最大距離は、身長方向ｙにおいて隣り合う第２−１止着部２２Ａ間の最小距離よりも小さいことが好ましい。
【００７５】
第１止着部２１および第２止着部２２において表地６と裏地７は、縫合、接着剤の塗布、ヒートシールや熱音波融着等の熱融着、鋲止め、またはこれらの組み合わせにより止着することができる。
【００７６】
第１排気口１１は、裏地７に形成されており、第１空間１５の空気を着用者側に排出する。送風機１０から第１空間１５に取り込まれた空気が第１排気口１１から排出されることで着用者の少なくとも胴体を冷却することができる。第１排気口１１は、裏地７の表面側から裏面側へと貫通するように形成される。第１排気口１１は、汗をかきやすい所に形成されていることが好ましく、着用者の脇の下、胸、左右の肩甲骨の間、または膝の裏に対応する位置に形成されていることが好ましい。図４では、第１排気口１１が前身頃および後身頃の脇の下に対応する位置、後身頃の左右の肩甲骨の間に対応する位置（特に図４では身幅方向ｘの中央線Ｃに重なる位置）、前身頃の胸部に対応する位置に形成されている。
【００７７】
第１排気口１１の数は特に限定されず、一または複数とすることができる。効率よく冷却するために、第１排気口１１は、身幅方向ｘの一方側ｘ１と他方側ｘ２にそれぞれ形成されていることが好ましく、後身頃の左側と右側にそれぞれ形成されていることがより好ましい。また、複数の第１排気口１１は、身幅方向ｘの一方側ｘ１と他方側ｘ２にそれぞれにおいて身長方向ｙに離間して配置されていてもよい。
【００７８】
第１排気口１１が、身幅方向ｘの一方側ｘ１と他方側ｘ２のそれぞれにおいて少なくとも２つずつ配置されており、身幅方向ｘの一方側ｘ１と他方側ｘ２のそれぞれにおいて、第１排気口１１の開口面積は、空気の流れ方向の下流側ほど大きいことが好ましい。これにより空気の流れ方向の下流側で空気を積極的に排出しやすくなるため、空気の流速が高められ、衣料１を素早く冷却することができる。
【００７９】
身長方向ｙにおいて衣料１を上側ｙ１と下側ｙ２に二等分割したときに、上側ｙ１に複数の第１排気口１１が配置されており、下側ｙ２に送風機１０が配置されていることが好ましい。これにより、送風機１０を衣料１を着用したときに邪魔にならない位置に配置しつつ、身長方向ｙの下方から上方に向かって空気を流すことで衣料１全体を効率よく冷却することができる。
【００８０】
身幅方向ｘの一方側ｘ１と他方側ｘ２のそれぞれにおいて、身幅方向ｘに並んでいる一の第２−１止着部２２Ａと他の第２−１止着部２２Ａの間に複数の第１排気口１１が配置されていることが好ましい。これにより身幅方向ｘに並んでいる第２−１止着部２２Ａ間に誘導された空気を効率よく第１排気口１１から排出することができるため、衣料１の冷却効果を高めることができる。
【００８１】
身長方向ｙにおいて、最も上方に配置されている第１排気口１１の上方端は、最も上方に配置されている第２−１止着部２２Ａの上方端よりも下方に配置されていることが好ましい。また、身長方向ｙにおいて、最も下方に配置されている第１排気口１１の下方端は、最も下方に配置されている第２−１止着部２２Ａの下方端よりも上方に配置されていることが好ましい。これにより第２−１止着部２２Ａで空気の流れ方向を制御しながら、空気を効率よく第１排気口１１から排出することができる。
【００８２】
立襟部３は、折り返さずに身長方向ｙに延びて立つように形成されている襟部分であり、着用者の首周りに配される。立襟部３の内部には第２空間１６が形成される。
【００８３】
立襟部３は、着用者の前側から後側に向かって高く形成されていてもよく、着用者の前後方向において高さが一定であってもよい。
【００８４】
立襟部３は、帯状の立襟用布地８を用いて次のように形成することができる。帯状の立襟用布地８を短手方向の略中央で折り返し、一の短辺において対向する端縁どうし、他の短辺において対向する端縁どうしをそれぞれ接合し、袋状に形成する。あるいは、２枚の帯状の立襟用布地８を積層して、一の長辺において対向する端縁どうし、一の短辺において対向する端縁どうし、他の短辺において対向する端縁どうしをそれぞれ接合し、袋状に形成する。袋状の立襟用布地８の内部に形成される空間が第２空間１６に相当する。そして、袋状に形成された立襟用布地８のうち、長手方向に延在している一の開口端縁を上衣２の表地６に、該一の開口端縁と対向している他の開口端縁を上衣２の裏地７に接合することで、図５に示すように第１空間１５と第２空間１６を連通させることができる。
【００８５】
立襟用布地８としては、表地６または裏地７と同様の生地を用いることができ、一枚の生地から構成されていてもよく、複数の生地から構成されていてもよい。
【００８６】
第２排気口１２は、立襟部３に形成されており、立襟部３の内部に形成されている第２空間１６の空気を排出する。第２排気口１２は好ましくは立襟部３に形成される。図５に示すように第１空間１５と第２空間１６が互いに連通していることにより第１空間１５から第２空間１６に空気が移動し、この空気が第２排気口１２から排出されることで着用者の頭部や首を冷却することができる。
【００８７】
立襟部３は、着用者の肌側面と、該肌側面と反対側の外側面を有している。その場合、第２排気口１２は立襟部３の肌側面に形成されていることが好ましい。これにより、第２排気口１２からの空気を着用者に向かって排出しやすくなる。
【００８８】
第２排気口１２の数は特に限定されず、一または複数とすることができる。複数の第２排気口１２は、首周りに沿って互いに離間して配置されていることが好ましい。複数の第２排気口１２は、身長方向ｙに互いに離間して配置されていてもよい。第２排気口１２は、身幅方向ｘの一方側ｘ１と他方側ｘ２にそれぞれ形成されていることが好ましい。このように第２排気口１２を複数設けることにより、着用者の頭部や首の冷却効果を高めることができる。
【００８９】
第２排気口１２は、着用者の頭部または首に対応する位置に設けられていることが好ましい。第２排気口１２は、後頭部、側頭部または襟首に対応する位置に設けられていてもよい。図４では、第２排気口１２が襟首に対応する位置に２つ設けられている。
【００９０】
第２排気口１２は、空気を着用者の頭部方向に排出するものであることが好ましい。これにより、着用者の頭部や首を冷却しやすくなる。
【００９１】
着用者の前後方向に離間して配置されている複数の第２排気口１２は、前側に位置する第２排気口１２よりも後側に位置する第２排気口１２が身長方向ｙの上方に配置されていることが好ましい。また、複数の第２排気口１２は、着用者の前後方向の後側ほど身長方向ｙの上方に配置されていることが好ましい。このように、着用者の前側に対応する位置に配される第２排気口１２からは首の前側や横側に向かって空気を排出しやすくなり、着用者の後側に対応する位置に配される第２排気口１２からは頭部方向に空気を排出しやすくなる。
【００９２】
複数の第２排気口１２が着用者の前後方向に離間して配置されている場合、後側に位置する第２排気口１２の中心から立襟部３の上端までの身長方向ｙの距離は、前側に位置する第２排気口１２の中心から立襟部３の上端までの身長方向ｙの距離よりも長いことが好ましい。また、第２排気口の中心から立襟部３の上端までの身長方向ｙの距離は、着用者の前後方向の後側ほど長いことが好ましい。このように前側に位置する第２排気口１２と立襟部３の上端までの身長方向ｙの距離を短くすることにより、着用者が下や横を向くように首を曲げても立襟部３が邪魔になりにくくなる。また、後側に位置する第２排気口１２と立襟部３の上端までの身長方向ｙの距離を長くすることにより、第２排気口１２からの空気を後頭部に向かって排出しやすくなる。さらに、着用者が帽子やヘルメットを被っている場合には、着用者の頭と帽子やヘルメットとの隙間に空気を送り込みやすくなる。
【００９３】
第２排気口１２は、立襟部３を着用者の前後方向において前側立襟部３Ａと後側立襟部３Ｂに二等分割したときに、前側立襟部３Ａと後側立襟部３Ｂにそれぞれ配置されていることがより好ましい。これにより、着用者の頭部や首の冷却効果を高めることができる。
【００９４】
前側立襟部３Ａに形成されている第２排気口１２と後側立襟部３Ｂに形成されている第２排気口１２の数は同じであっても互いに異なっていてもよい。
【００９５】
第２排気口１２は、後側立襟部３Ｂであって身幅方向ｘの中心線Ｃと重なるように配置されていてもよい。これにより、第２排気口１２からの空気を着用者の後頭部方向に排出しやすくなる。
【００９６】
第２排気口１２は、空気を着用者の耳部方向に排出するものであることが好ましい。耳部には多数の毛細血管が通っているため、耳部を冷却することにより、着用者は涼しさを感じやすくなる。
【００９７】
第２排気口１２は、立襟部３における身長方向ｙの上端部に設けられていることが好ましい。これにより、第２排気口１２からの空気が身長方向ｙの上方に排出されやすくなるため、着用者の頭部や首を冷却しやすくなる。なお、立襟部３における身長方向ｙの上端部は、立襟部３における身長方向ｙの上端から２ｃｍ以内の範囲であり、好ましくは１．５ｃｍ以内、さらに好ましくは１ｃｍ以内の範囲である。
【００９８】
第２排気口１２は、立襟部３における身長方向ｙの上端よりも下方であって立襟部３の肌側面に形成されていてもよい。このように第２排気口１２を形成することにより、立襟部３を膨らませたときに第２排気口１２が身長方向ｙの上端に位置しやすくなる。このため、第２排気口１２からの空気が身長方向ｙの上方に排出されやすくなり、着用者の頭部や首を冷却しやすくなる。
【００９９】
第２排気口１２は、立襟部３における身長方向ｙの下端部であって立襟部３の肌側面に設けられていてもよい。これにより、第２排気口１２からの空気が着用者の首の付け根の方向に排出されやすくなる。なお、立襟部３における身長方向ｙの下端部は、立襟部３における身長方向ｙの下端から２ｃｍ以内の範囲であり、好ましくは１．５ｃｍ以内、さらに好ましくは１ｃｍ以内の範囲である。
【０１００】
立襟部３を着用者の前後方向において前側立襟部３Ａと後側立襟部３Ｂに二等分割したときに、後側立襟部３Ｂの身長方向ｙの上端が前側立襟部３Ａの身長方向ｙの上端よりも上方に位置していることが好ましい。このように後側立襟部３Ｂを前側立襟部３Ａよりも高く形成することにより、第２排気口１２からの空気を後頭部に向かって排出しやすくなる。また、着用者が帽子やヘルメットを被っている場合には、着用者の頭と帽子やヘルメットとの隙間に空気を送り込みやすくなる。
【０１０１】
立襟部３は、第１空間１５から第２空間１６に流れる空気の量を増減させる調節部を有していることが好ましい。これにより、着用者の好みに合わせて第２排気口１２から排出される空気の量を調節することができる。
【０１０２】
調節部は、第２空間１６の入り口を広くまたは狭くすることができる構成を有していればよく、例えば、第２空間１６を挟んで互いに対向している立襟用布地８の一方側と他方側を部分的に接合または解除するための面ファスナー、線ファスナー、スナップボタン等の締結具が挙げられる。締結具の係合または解除により、第２空間１６の入り口の大きさを調整することができる。このような締結具は、首周りに沿って延在して配置されているか、または複数の締結具が首周りに沿って離間して配置されていることが好ましい。
【０１０３】
調節部は、立襟部３に配設された紐であってもよい。例えば、紐は、一部が立襟部３の内部に挿通され、他部が立襟部３の外に露出するように配される。好ましくは、紐の少なくとも一方端部と他方端部が立襟部３の外に露出し、紐の中途部が立襟部３の内部に挿通される。紐は、首周りに沿って延在して配置されていることが好ましい。紐を縛るまたは緩めて立襟部３の内部に挿通されている紐の長さを調節することで、第２空間１６の入り口の大きさを調整することができる。紐の構成材料は特に限定されず、繊維、金属またはプラスチックでもよい。
【０１０４】
第１排気口１１または第２排気口１２は、左右対称に配置されていてもよく、左右非対称に配置されていてもよい。
【０１０５】
第１排気口１１または第２排気口１２の開口面積は特に限定されないが、例えば１０ｍｍ2以上であることが好ましく、２０ｍｍ2以上であることがより好ましく、３０ｍｍ2以上であることがさらに好ましく、また、３００ｍｍ2以下であることが好ましく、２８０ｍｍ2以下であることがより好ましく、２５０ｍｍ2以下であることがさらに好ましい。第１排気口１１または第２排気口１２が円形である場合、その直径は、５ｍｍ以上、好ましくは７ｍｍ以上とすることができ、２０ｍｍ以下、好ましくは１５ｍｍ以下の範囲としてもよい。
【符号の説明】
【０１０６】
１：衣料
２：上衣
３：立襟部
４：留め具
５：開口部
６：表地
７：裏地
８：立襟用布地
１０：送風機
１１：第１排気口
１２：第２排気口
１５：第１空間
１６：第２空間
２１：第１止着部
２２：第２止着部
２２Ａ：第２−１止着部
２２Ｂ：第２−２止着部
ｘ：身幅方向
ｘ１：身幅方向の一方側
ｘ２：身幅方向の他方側
ｙ：身長方向
ｙ１：身長方向の上側
ｙ２：身長方向の下側
【図１】
2020139240.tif 000003
【図２】
2020139240.tif 000004
【図３】
2020139240.tif 000005
【図４】
2020139240.tif 000006
【図５】
2020139240.tif 000007